(57)【要約】【課題】従来のエンジン用燃焼圧センサでは、燃焼状態、特に、燃焼起点を把握することはできず、また、そのデータを基に、前述のインジェクションパラメータや吸排気バルブパラメータの最適化を図り、燃焼状態を改善することもできず、上記燃焼の不具合を解消することはできなかった。【解決手段】中心軸を基準として周方向の所定位置に配置され、それぞれが気筒内の燃焼圧を測定する、少なくとも３つ以上のセンサ素子と、基準時間と、前記３つ以上のセンサ素子から出力される圧力ピークの時間とに基づいて、前記気筒内の燃焼起点情報を算出する演算回路とを備えることを特徴とする燃焼圧センサ。【選択図】図９
2015190333.tif 000002
【特許請求の範囲】
【請求項１】
中心軸を基準として周方向の所定位置に配置され、それぞれが気筒内の燃焼圧を測定する少なくとも３つ以上のセンサ素子と、
基準時間と、前記３つ以上のセンサ素子から出力される圧力ピークの時間とに基づいて、前記気筒内の燃焼起点情報を算出する演算回路とを備える
ことを特徴とする燃焼圧センサ。
【請求項２】
前記３つ以上のセンサ素子は、扇形状に配置されている
ことを特徴とする請求項１に記載の燃焼圧センサ。
【請求項３】
前記３つ以上のセンサ素子は、前記中心軸を基準として周方向にリング状に配置されると共に、径方向に複数配置されている
ことを特徴とする請求項１または２に記載の燃焼圧センサ。
【請求項４】
前記基準時間は、クランク角が基準角度に一致したときの時間であることを特徴とする請求項１ないし請求項３のいずれかに記載の燃焼圧センサ。
【請求項５】
前記圧力ピークの時間及び前記燃焼起点情報は、データ格納部に蓄積され、
前記演算回路は、蓄積された前記時間及び前記燃焼起点情報に基づき、長周期燃焼起点の変動を算出する
ことを特徴とする請求項１ないし請求項４のいずれかに記載の燃焼圧センサ。
【請求項６】
前記演算回路は、前記基準時間と、前記３つ以上のセンサ素子から出力される圧力ピークの時間とに基づいて前記中心軸を法線とする面内の燃焼起点方向を算出し、
前記燃焼起点情報として前記燃焼起点方向を示すデータを出力する
ことを特徴とする請求項１ないし請求項５のいずれかに記載の燃焼圧センサ。
【請求項７】
前記演算回路は、
前記基準時間と、前記３つ以上のセンサ素子から出力される圧力ピークの時間と、火炎伝搬速度を基に火炎伝搬距離を求め、前記火炎伝搬距離に基づいて気筒内の燃焼起点位置を算出し、
前記燃焼起点情報として前記燃焼起点位置を示すデータを出力する
ことを特徴とする請求項１ないし請求項５のいずれかに記載の燃焼圧センサ。
【請求項８】
前記３つ以上のセンサ素子は前記中心軸を基準として回転対称の位置に配置されている
ことを特徴とする請求項１ないし請求項７のいずれかに記載の燃焼圧センサ。
【発明の詳細な説明】
【技術分野】
【０００１】
本発明は、内燃機関の燃焼室の圧力を測定して燃焼起点を算出することができる燃焼圧センサに関する。
【背景技術】
【０００２】
一般に、エンジンの燃焼室に挿入することにより気筒の圧力を検出するエンジン用燃焼圧センサは知られているが、この種の燃焼圧センサは、気筒の所定位置に形成した貫通孔に高い気密性構造により独立して取付ける必要がある。このため、燃焼圧センサをリング形に構成し、エンジンに付設する他の機能部品である点火プラグの先端部外周面に一体に取り付け可能に構成して、当該点火プラグと一緒に気筒に取付けできるようにした気筒燃焼圧センサも知られている。
【０００３】
従来、このようなリング形に構成した燃焼圧センサとしては、特許文献１で開示される圧力センサ内蔵スパークプラグが知られている。また、特許文献２では振動による割れを防ぐために圧力検出素子を受圧リングブロックに分割した燃焼圧センサが開示されている。
【０００４】
特許文献１の圧力センサ内蔵スパークプラグは、内燃機関に取付けた際に、内燃機関に設けられたプラグ取り付け面と対向する座部と、この座部に内蔵されており、座部の内壁面の周方向に所定の間隔ごとに複数の圧電素子が保持された収容部材と、この収容部材に対応した平板形状に形成されているとともに、切り込みを入れた部分を上方へ折り曲げた端子が形成されており、その折り曲げにより形成された切り欠き部が圧電素子と重ならない状態で収容部材の上面に設けられた電極板と、この電極板に対応した平板形状に形成されているとともに、切り欠き部が形成されており、その切り欠き部から電極板の端子を上方へ突出させた状態で電極板の上面に設けられた絶縁板と、この絶縁板の切り欠き部から突出した端子に接続されており、圧電素子の出力を取り出す取出部材と、を備えている。
【０００５】
特許文献２には、センサ筐体軸方向の中間部に軸方向の弾性を有する弾性部位を形成してなる外筒部及び内筒部からなるハウジングユニットと、弾性部位の前方に位置する外筒部と内筒部間に気密に固定し、かつ当該弾性部位を通して弾性部位の後方に臨ませるとともに、前面が受圧面となる受圧リングブロック部と、この受圧リングブロック部の後面に設けた一方の電極部に接し、かつ受圧リングブロック部から燃焼圧が付与されるとともに、周方向の所定位置に配した少なくとも一つ以上の圧力検出素子と、外筒部と内筒部間に固定し、かつ前面が圧力検出素子を支持する支持面になるとともに、他方の電極を兼ねた支持リングブロック部とを備えることを特徴とするセンサが開示されている。
【先行技術文献】
【特許文献】
【０００６】
【特許文献１】特開２０００−２７７２３３号公報
【特許文献２】ＷＯ２０１２／１３２４５０号公報
【発明の概要】
【発明が解決しようとする課題】
【０００７】
従来のガソリンエンジンＳＩ(Ｓｐａｒｋ  Ｉｇｎｉｔｉｏｎ:火花着火)やディーゼルエンジンＣＩ(Ｃｏｍｐｒｅｓｓｉｏｎ  Ｉｇｎｉｔｉｏｎ:圧縮着火)及び次世代エンジンと考えられるＨＣＣＩ(Ｈｏｍｏｇｅｎｅｏｕｓ  Ｃｈａｒｇｅ Ｃｏｍｐｒｅｓｓｉｏｎ  Ｉｇｎｉｔｉｏｎ:予混合圧縮着火)エンジンなどは、燃焼時の気筒内の燃焼状態は常に安定しているというわけでなく、その変動要因のポイントとなる燃焼起点が一定ではなく、サイクル毎の混合ガス状態や気流の状態によって常に変化していることが、高速度カメラによる燃焼時の撮影により分かってきている。
【０００８】
ガソリンエンジンＳＩの場合、燃焼起点の空間位置は、スパークプラグのプラグギャップ中心とその周辺近傍の混合ガス濃度との相対位置、混合ガスの移動速度等により変動する。従って燃焼起点の空間位置の変動は、インジェクタの燃料噴射条件、吸排気バルブのタイミング・リフト量、エンジンの回転数に依存するが、何れもある周期をもって変動するパラメータである為、燃焼起点の空間位置もランダムに変動するのではなく、ある周期をもって変動する。その結果、筒内圧力の変動もサイクル毎にランダムに上下変動するのではなく、ある長周期をもって変動する。
【０００９】
ディーゼルエンジンＣＩの場合は、燃焼起点の空間位置は、インジェクタからの噴射燃料と空気との混合ガス濃度、混合ガスの移動速度により変動する。従って燃焼起点の空間位置の変動はインジェクタの燃料噴射条件、吸排気バルブのタイミング・リフト量、エンジンの回転数に依存するが、何れもある周期をもって変動するパラメータである為、燃焼起点の空間位置もランダムに変動するのではなく、ある周期をもって変動する。その結果、筒内圧力の変動もサイクル毎にランダムに上下するのではなく、ある長周期をもって変動する。
【００１０】
ＨＣＣＩの場合は、燃焼起点の空間位置は、インジェクタからの噴射燃料と空気との混合ガス濃度及びガス濃度の均一性、混合ガスの移動速度により変動する。従って燃焼起点の空間位置の変動はインジェクタの燃料噴射条件、吸排気バルブのタイミング・リフト量、エンジンの回転数に依存するが、何れもある周期をもって変動するパラメータである為、燃焼起点の空間位置もランダムに変動するのではなく、ある周期をもって変動する。その結果、筒内圧力の変動もサイクル毎にランダムに上下変動するのではなく、ある長周期をもって変動する。
【００１１】
特にＣＩエンジンにおいては、圧力と温度の上昇によって着火するため、原理的にもその変動幅は大きくなる。本来、燃焼室のピストン移動方向の中心軸上に常に燃焼起点がある状態が理想状態である。しかしながら、上述の様に燃焼噴射の条件、すなわち、噴射量、噴射時間、タイミング、噴射長さ、噴射方向、ノズル形状や噴射圧力、吸排気バルブのタイミング、バルブの開閉量により混合ガスの状態、気流の変動によりインジェクタから噴射された燃料が気筒内側面に多量に付着したり、ピストン上面に多量に付着したりして燃料の微粒化が阻害されてしまう。その為、気筒内の燃焼状態が不均一、不安定となり、異常燃焼が多発したり、多くの未燃成分の一酸化炭素や炭化水素、ｓｏｏｔ(すす)のような有害物質ＰＭ２．５を排出したりしてしまう。また、燃焼効率も著しく低下してしまう。
【００１２】
また、ＨＣＣＩエンジンは、通常のガソリンエンジンの燃焼に比べ、低温燃焼形態をとるため、ＮＯｘがほとんど発生せず、また内燃機関最大の熱効率ポテンシャルを有するため、大幅なＣＯ２削減効果も見込めて、次世代エンジンとして期待されているが、安定した燃焼領域が限られており、前述のインジェクションパラメータや吸排気バルブパラメータの最適化によりこの領域を広げることが大きな課題である。
【００１３】
さらに、今日、インジェクタにおいても燃焼効率を向上させるためにデュアルインジェクションシステムの様な技術革新が進んでおり、これら新機能を十分に発揮させるためにも気筒内の燃焼状態を把握し、燃焼起点の空間位置を検知し、インジェクタの噴射量、噴射時間、タイミング、噴射長さ、噴射方向、噴射圧力、吸排気バルブのタイミング、バルブの開閉量にフィードバックすることが非常に重要である。
【００１４】
従来のエンジン用燃焼圧センサでは、燃焼状態、特に、燃焼起点を把握することはできず、また、そのデータを基に、前述のインジェクションパラメータや吸排気バルブパラメータの最適化を図り、燃焼状態を改善することもできず、上記燃焼の不具合を解消することはできなかった。
【００１５】
本発明は、上記に鑑みてなされたもので、エンジンの気筒内の燃焼起点を算出可能な燃焼圧センサを提案することを目的とする。
【課題を解決するための手段】
【００１６】
上述した課題を解決し、目的を達成するために、本発明は、中心軸を基準として周方向の所定位置に配置され、それぞれが気筒内の燃焼圧を測定する、少なくとも３つ以上のセンサ素子と、基準時間と前記３つ以上のセンサ素子から出力される圧力ピークの時間とに基づいて、前記気筒内の燃焼起点情報を算出する演算回路とを備えることを特徴とする。
【００１７】
センサ素子は、中心軸を基準として周方向の所定位置に配置され、それぞれが気筒内の燃焼圧を測定する、少なくとも３つ以上配置されているので、少ない素子数でコストを抑え、より精度良く燃焼起点情報を算出できる。
基準時間と前記３つ以上のセンサ素子から出力される圧力ピークの時間とに基づいて、前記気筒内の燃焼起点情報を算出する演算回路とを備えることによって燃焼が気筒のどこから発生したかという情報を得ることができる。
【００１８】
本発明の望ましい態様としては、前記３つ以上のセンサ素子は、扇形状に配置されていることが好ましい。
【００１９】
この３つ以上のセンサ素子が扇形状に配置されていると、中央にインジェクタを配置した場合、センサ素子の出力を最大限にすること可能であるだけでなく、センサ素子感圧エリアが中心軸から等距離に存在することになり、中心軸近傍の燃焼起点において、圧力変動によりシャープな出力ピークを得ることができる。
【００２０】
更に本発明では、３つ以上のセンサ素子は、前記中心軸を基準として周方向にリング状に配置されると共に、径方向に複数配置されていることが好ましい。
【００２１】
３つ以上のセンサ素子が、中心軸を基準として周方向にリング状に配置されると共に、径方向に複数配置されていると、中心軸近傍の燃焼起点の位置情報をより精度良く算出できる。
【００２２】
更に本発明では、基準時間はクランク角が基準角度に一致したときの時間であることが好ましい。
【００２３】
この基準時間はクランク角が基準角度に一致したときの時間とすることにより、サイクル毎に基準時間がイニシャライズされるので正確で安定した燃焼起点情報を得ることができる。
【００２４】
更に本発明では、前記圧力ピークの時間及び前記燃焼起点情報は、データ格納部に蓄積され、蓄積された時間及び前記燃焼起点情報に基づき、長周期燃焼起点の変動を算出する。
圧力ピークの時間及び前記燃焼起点情報を蓄積することにより、長周期的な圧力ピーク時間の変動及び燃焼起点の変動を把握することができ、燃焼起点の変動要因を特定することができる。その結果、燃焼起点を中心軸に近づける様にインジェクタ信号を出力することができる。
【００２５】
更に本発明では、前記演算回路は、前記基準時間と、前記３つ以上のセンサ素子から出力される圧力ピークの時間とに基づいて前記中心軸を法線とする面内の燃焼起点方向を算出し、前記燃焼起点情報として前記燃焼起点方向を示すデータを出力することを特徴とする。
【００２６】
これにより速く適切な燃焼起点方向のデータが得られ、この燃焼起点方向のデータを基に燃焼起点を中心軸に近づけるように燃料噴射を制御すれば、より速く良好なエンジン燃焼を維持できるという効果が得られる。
【００２７】
更に本発明では、前記演算回路は、前記基準時間と、前記３つ以上のセンサ素子から出力される圧力ピークの時間と、火炎伝搬速度とを基に火炎伝搬距離を求め、前記火炎伝搬距離に基づいて気筒内の燃焼起点位置を算出し、前記燃焼起点情報として前記燃焼起点位置を示すデータを出力する。
【００２８】
これにより、より精度の高い燃焼起点位置データを基に、燃焼起点を中心軸に近づけるように燃料噴射を制御すれば、良好なエンジン燃焼を維持できるという効果が得られる。
【００２９】
また、前記３つ以上のセンサ素子は前記中心軸を基準として回転対称の位置に配置されていることを特徴とする。
【００３０】
前記３つ以上のセンサ素子は前記中心軸を基準として回転対称の位置に配置されているので、より少ないセンサ素子数で、中心軸から等距離に配置されている為、燃焼起点の算出が容易で、燃焼起点情報を、より精度良く算出できる。
【発明の効果】
【００３１】
本発明により、エンジンの気筒内の燃焼起点情報を算出可能な燃焼圧センサが得られる。
【図面の簡単な説明】
【００３２】
【図１】図１は、本発明の最良実施形態に係る燃焼圧センサをインジェクタに適用する場合の概略斜視図である。
【図２】図２は、本発明の燃焼圧センサの検出部の斜視図である。
【図３】図３は、本発明の燃焼圧センサの素子部の拡大断面の概略図である。
【図４】図４は、複数のセンサ素子の配置例１の図である。
【図５】図５は、複数のセンサ素子の配置例２の図である。
【図６】図６は、複数のセンサ素子の配置例３の図である。
【図７】図７は、複数のセンサ素子の配置例４の図である。
【図８】図８は、気筒内燃焼の模式図である。
【図９】図９は、異なる３箇所のセンサ素子による圧力の時間変化を示した図である。
【図１０】図１０は、平面内の燃焼起点算出方法の一例を示した図である。
【図１１】図１１は、燃焼起点算出方法の一例を示した斜視図である。
【図１２】図１２は、本実施形態による燃焼圧センサの構成を示すブロック図である。
【発明を実施するための形態】
【００３３】
次に、本発明に係る最良実施形態を挙げ、図面に基づき詳細に説明する。まず、本実施形態に係る燃焼圧センサ２の構成について、図１ないし図１２を参照して説明する。
【００３４】
図１は、最良実施形態に係る燃焼圧センサ２をインジェクタ１に適用する場合の概略斜視図である。インジェクタ１の先端に燃焼圧センサ２を設置し気筒内に挿入することで燃焼圧を検知する。図２は燃焼圧センサの検出部の斜視図である。
【００３５】
図３は燃焼圧センサの素子部の拡大断面の概略図である。気筒内燃焼ガスに直接曝されるダイアフラム６の受圧面の裏面に下部電極としての電極２１を形成し、その上に圧電薄膜２２が形成され、さらにその上に上部電極としての電極２３が形成される。圧電薄膜２２と電極２１または電極２３が繰り返し形成され、積層圧電薄膜から成るセンサ素子２４が複数作製される。このセンサ素子形状は、円形でも方形でも扇形でもかまわない。また、これら形状の組み合わせでもかまわない。また、ダイアフラム６の受圧面の裏面と下部電極としての電極２１の間、または電極２１と圧電薄膜２２の間、または圧電薄膜２２と上部電極としての電極２３の間の各薄膜の結晶性を向上させるためのバッファ層を形成してもよい。
図３は圧電薄膜３層構造を示しているが、単層でも、さらに多層でもかまわない。これらはハウジング３内に納められ密閉され、気密が保たれている。
【００３６】
これらセンサ素子２４は、エンジンの燃焼時に受ける中心軸５方向の圧力に対してダイアフラム６が歪むと同時に裏面のセンサ素子２４も同様に歪み、その歪み量に応じた電荷を発生する。発生した電荷はリード線７を通じてインジェクタ頭頂部４に設けられた増幅回路で増幅出力される。
エンジンＥＣＵからのクランク角情報を基に基準時間を設定し、各センサ素子２４からの出力の時間差を後述する演算回路で算出する。
【００３７】
図４ないし図７は燃焼圧センサの素子配置例を示す図である。図４は中心軸５を基準として回転対称の位置に扇形状のセンサ素子２４を３個、図５は中心軸５を基準として回転対称の位置に扇形状のセンサ素子２４を８個配置した図である。
図６は中心軸５を基準として回転対称の位置にセンサ素子２４を８個配置し、尚かつ中心軸を基準として径方向にも複数配置した図である。具体的には、中心軸５を基準として周方向にリング状に８個のセンサ素子２４が配置されると共に、径方向に複数（この例では２重）配置されている。センサ素子２４を複数個配置することにより燃焼起点情報を、より精度良く算出できる。特に径方向に複数配置することにより、燃焼起点が中心軸５近傍にあった場合により精度良く算出できる。
図７は中心軸５を基準として回転対称の位置に円形状のセンサ素子２４を３個配置した図である。センサ素子形状は扇形、リング形状に限らない。
【００３８】
センサ素子の感度を上げるにはダイアフラム６に対するセンサ素子２４の専有面積を上げれば良い。また、燃焼起点情報の測定精度を上げるには、図７に示すように各センサ素子形状を円状にして、間隔を大きくすることも有効である。
【００３９】
ダイアフラム６の裏面にこれら複数個のセンサ素子２４を各図の様に配置することによって燃焼起点を特定することができる。すなわち、火炎伝搬速度は、エンジンの回転数によって大きく変化する。表１は一般的なエンジンの回転数と火炎伝搬速度の関係を示した表である。
【００４０】
【表１】
2015190333.tif 000003
表１に示す様にエンジン回転数に比例して火炎伝搬速度は速くなる。このことは、燃焼はマクロ的には直進性が高いことを意味する。そのため、非常に短い時間で圧力を測定することにより、燃焼起点からセンサ素子までの時間差をすなわち経路差を測定することができる。圧力測定箇所を３個以上にすることにより、中心軸を法線とする面内の燃焼起点方向を算出することができる。また、エンジンの回転数から火炎伝搬速度を割り出すことにより、気筒内の燃焼起点をより精度良く、３次元的に特定することができる。
なお、回転数と火炎伝搬速度との関係情報は、後述するデータ格納部に記憶されており、回転数情報から火炎伝搬速度が求められるようになされている。
【００４１】
図８は気筒内の燃焼を模式的に示した図である。気筒８、ピストン９、吸気弁１０、排気弁１１、中心軸に取り付けたインジェクタ１からなる。インジェクタ１の先端には燃焼圧センサ２が取り付けられている。例えばディーゼルエンジンの場合、圧縮行程で燃焼を噴射して温度と圧力が増加して着火が行われる。この際、図８の位置Ａが燃焼起点となった場合、インジェクタ１の先端に取り付けた複数のセンサ素子間の圧力変化に燃焼起点からの経路Ｂ１と経路Ｂ２の差分だけ遅れが生じる。
【００４２】
図９は配置が異なる３箇所のセンサ素子２４が検知した圧力の時間変化を示した図である。燃焼起点から、より近い燃焼圧センサ素子の出力Ｃ１、それより経路の長い位置でのセンサ素子の出力Ｃ２、さらに経路の長い位置でのセンサ素子の出力Ｃ３である。クランク角が基準角度に一致したときの時間すなわち基準時間（図中の時間ゼロの時点）から圧力が最大となるピークまでのピーク時間を算出し、各ピーク時間差から中心軸を法線とする面内の燃焼起点方向を算出することができる。さらにエンジンの回転数から火炎伝搬速度を求めれば、燃焼起点を３次元で立体的に算出することができる。
【００４３】
図１０はセンサ素子２４を３つにした場合の燃焼起点方向の算出方法を示した図である。図９に示したようにクランク角の基準点から各センサ素子の出力Ｃ１、出力Ｃ２、出力Ｃ３のピーク値までの時間ｔ１、ｔ２、ｔ３を算出し、任意の係数をｋとすると、各時間パラメータｋ・ｔ１、ｋ・ｔ２、ｋ・ｔ３となる。ここで、時間パラメータを用いた理由は、エンジンＥＣＵからのエンジン回転数の情報がない場合、前記火炎伝搬速度が分からず、燃焼起点からの火炎伝搬経路距離が算出できないため、任意の係数ｋを乗じて時間パラメータを用いた。
【００４４】
燃焼各センサ素子２４の搭載位置(重心)の座標を中心として前記各時間パラメータｋ・ｔ１，ｋ・ｔ２、ｋ・ｔ３を半径とする円Ｄ１、円Ｄ２、円Ｄ３を描き、各々円の交点の座標を求める。円Ｄ１と円Ｄ２、円Ｄ２と円Ｄ３、円Ｄ３と円Ｄ１の各々交点同士を線Ｅ１、Ｅ２、Ｅ３で結んだ際の交点をＡ′とすると、Ａ′と中心軸５を結ぶ線分Ｆが中心軸を法線とする面内の燃焼起点方向である。
【００４５】
図１１はセンサ素子を３つにした場合の燃焼起点算出方法を示した斜視図である。図９に示したようにクランク角の基準点から各センサ素子の出力Ｃ１、出力Ｃ２、出力Ｃ３のピーク値までの時間ｔ１、ｔ２、ｔ３を算出し、エンジンの回転数から火炎伝搬速度を求め、前記時間と火炎伝搬速度から火炎伝搬距離Ｌ１、Ｌ２、Ｌ３(図示せず)を求める。各センサ素子の搭載位置(重心)の座標を中心として前記火炎伝搬距離Ｌ１、Ｌ２、Ｌ３を半径とした球Ｇ１、球Ｇ２、球Ｇ３を描く。これら３つの球を描いたときの各球の交点が燃焼起点Ａである。
【００４６】
図１２はセンサ素子２４からの圧力検出信号１９を増幅回路１２で信号を増幅し、演算回路１３でピーク時間差及び燃焼起点方向の算出し、ピーク時間差及び燃焼起点情報は、データ格納部１４に送られ記録され、インジェクタＥＣＵ１５で最適なインジェクタ条件を算出し、インジェクタ信号３０を出力するまでの一連のブロック図である。
エンジン圧縮行程で気筒内に発生した燃焼による圧力上昇を燃焼圧センサ２内の配置位置の違う各センサ素子２４が検知し電荷を発生し検出信号１９を発し、リード線７を通じて回路基板内の増幅回路１２で電圧変換・増幅され増幅信号２０を出力する。
【００４７】
更にクランクシャフトポジションセンサ１７からのクランクシャフト位置信号２５を基にエンジンＥＣＵ１６で算出したクランク角信号２６及び増幅信号２０を基に回路基板内の演算回路１３により各センサ素子のピーク時間、基準時間および基準時間に対する各ピーク時間差が算出され、燃焼起点方向のデータが算出される。このピーク時間及び燃焼起点方向のデータは燃焼起点情報信号２７としてデータ格納部１４に記録される。
【００４８】
燃焼起点情報信号２７は、必要に応じてデータ格納部１４から読取り燃焼起点情報信号２８として読み取られ、演算回路１３で長周期的な燃焼起点の変動の算出に用いられ、長周期的な燃焼起点の変動を把握することができる。
【００４９】
長周期的な燃焼起点の変動も考慮した燃焼起点方向のデータは、燃焼起点方向信号２９として出力する。燃焼起点方向信号２９はインジェクタＥＣＵ１５に送られ、インジェクタＥＣＵ１５において、燃焼起点が中心軸上になるように最適インジェクタ条件を算出しインジェクタ信号３０をインジェクタに送りフィードバックする。
【００５０】
更にはクランクシャフトポジションセンサ１７からのクランクシャフト位置信号２５を基にエンジンＥＣＵ１６で算出したクランク角信号２６、回転数信号３１及び増幅信号２０を基に回路基板内の演算回路１３により、各センサ素子の圧力ピーク時間、基準時間、火炎伝搬速度および基準時間に対する各ピーク時間差が算出され、これらから火炎伝搬距離を求めて燃焼起点の位置データが算出され、燃焼起点信号３２として出力する。燃焼起点信号３２はインジェクタＥＣＵ１５に送られ、インジェクタＥＣＵ１５において、燃焼起点が中心軸上になるように最適インジェクタ条件を算出しインジェクタ信号３０をインジェクタに送る。
【００５１】
燃焼起点信号３２はエンジンＥＣＵ１６に送られてもかまわない。エンジンＥＣＵでは燃焼起点信号３２とクランクシャフトポジションセンサ１７からのクランクシャフト位置信号２５及びカムシャフトポジションセンサ１８からのカムシャフト位置信号３３を基にエンジン状態を把握し、エンジン状態信号３４をインジェクタＥＣＵ１５に送る。インジェクタＥＣＵ１５では最適な燃料の噴射タイミング、噴射時間、噴射角度、噴射圧力を算出し、燃焼起点を中心軸に近づけるインジェクタ信号３０を送信する。また、最適な吸排気バルブ開閉タイミングにするためのカムシャフト信号３５を送信したりしてフィードバックする。
【００５２】
センサ素子は薄膜でもバルクでも可能であることは言うまでもない。
【００５３】
以上のように、燃焼圧センサ２においては、中心軸５を基準として周方向の所定位置に配置され、それぞれが気筒内の燃焼圧を測定する、少なくとも３つ以上のセンサ素子２４と基準時間と、３つ以上のセンサ素子２４から出力される圧力ピークの時間とに基づいて、気筒内の燃焼起点情報を算出する演算回路１３とを備える。これにより気筒内における燃焼起点を算出することが可能となる。
【００５４】
また燃焼圧センサ２においては、センサ素子２４を３つ以上有し、演算回路１３は、基準時間と、３つ以上のセンサ素子２４から出力される圧力ピークの時間とに基づいて中心軸５を法線とする面内の燃焼起点方向を算出し、燃焼起点情報として燃焼起点方向を示すデータを出力する。これにより速く適切な燃焼起点方向のデータが得られる。
【００５５】
更に燃焼圧センサ２において、センサ素子２４を３つ以上有し、演算回路１３は、基準時間と、３つ以上のセンサ素子２４から出力される圧力ピークの時間と、火炎伝搬速度とを基に火炎伝搬距離を求め、火炎伝搬距離に基づいて気筒内の燃焼起点位置を算出し、燃焼起点情報として燃焼起点位置を示すデータを出力する。これにより燃焼起点の位置データを容易に得ることができる。
【産業上の利用可能性】
【００５６】
以上のように、本発明に係る気筒燃焼圧センサは、自動車のエンジンで代表される内燃機関をはじめ、他の各種用途における内燃機関を構成する気筒の燃焼圧を検出する際に有用である。
【符号の説明】
【００５７】
１       インジェクタ
２       燃焼圧センサ
２１     下部電極
２２     圧電薄膜
２３     上部電極
２４     センサ素子
２４Ａ  センサ素子
２４Ｂ  センサ素子
２４Ｃ  センサ素子
３        ハウジング
４        インジェクタ頭頂部
５        中心軸
６        ダイアフラム
７        リード線
８        気筒
９        ピストン
１０     吸気弁
１１     排気弁
Ａ        燃焼起点
Ａ′     線Ｅ１、Ｅ２、Ｅ３の交点
Ｂ１     燃焼起点Ａからの火炎伝搬経路
Ｂ２     燃焼起点Ａからの火炎伝搬経路
Ｃ１     センサ素子２４Ａの出力
Ｃ２     センサ素子２４Ｂの出力
Ｃ３     センサ素子２４Ｃの出力
Ｄ１     センサ素子２４Ａを中心とし時間パラメータｋ・ｔ１を半径とする円
Ｄ２     センサ素子２４Ｂを中心とし時間パラメータｋ・ｔ２を半径とする円
Ｄ３     センサ素子２４Ｃを中心とし時間パラメータｋ・ｔ３を半径とする円
Ｅ１     センサ素子２４Ａ中心円とセンサ素子２４Ｂ中心円の交点を結ぶ直線
Ｅ２     センサ素子２４Ｂ中心円とセンサ素子２４Ｃ中心円の交点を結ぶ直線
Ｅ３     センサ素子２４Ｃ中心円とセンサ素子２４Ａ中心円の交点を結ぶ直線
Ｆ        燃焼起点方向
Ｇ１     センサ素子２４Ａを中心とし火炎伝搬距離を半径とする球
Ｇ２     センサ素子２４Ｂを中心とし火炎伝搬距離を半径とする球
Ｇ３     センサ素子２４Ｃを中心とし火炎伝搬距離を半径とする球
ｋ        任意係数
ｔ１     クランク角の基準点からセンサ素子２４Ａの出力Ｃ１のピーク値までの時間
ｔ２     クランク角の基準点からセンサ素子２４Ｂの出力Ｃ２のピーク値までの時間
ｔ３     クランク角の基準点からセンサ素子２４Ｃの出力Ｃ３のピーク値までの時間
１２     増幅回路
１３     演算回路
１４     データ格納部
１５     インジェクタＥＣＵ
１６     エンジンＥＣＵ
１７     クランクシャフトポジションセンサ
１８     カムシャフトポジションセンサ
１９     検出信号
２０     増幅信号
２５     クランクシャフト位置信号
２６     クランク角信号
２７     燃焼起点情報信号
２８     読取り燃焼起点情報信号
２９     燃焼起点方向信号
３０     インジェクタ信号
３１     回転数信号
３２     燃焼起点信号
３３     カムシャフト位置信号
３４     エンジン情報信号
３５     カムシャフト信号
【図１】
2015190333.tif 000004
【図２】
2015190333.tif 000005
【図３】
2015190333.tif 000006
【図４】
2015190333.tif 000007
【図５】
2015190333.tif 000008
【図６】
2015190333.tif 000009
【図７】
2015190333.tif 000010
【図８】
2015190333.tif 000011
【図９】
2015190333.tif 000012
【図１０】
2015190333.tif 000013
【図１１】
2015190333.tif 000014
【図１２】
2015190333.tif 000015